(57)【要約】【課題】ユーザビリティに貢献できるインタフェース装置を提供する。【解決手段】インタフェース装置は、ベース部と、表示面を含む表示部と、第１操作面を有する第１操作部と、ベース部に設けられ、第２操作面を有する第２操作部と、を備え、ベース部は、表示面と実質的に直交する予め定める第１方向において第１端部と第２端部とを有し、表示部は、ベース部の第１端部に少なくとも設けられ、第１操作面および第２操作面のそれぞれは、予め定める第１方向から見て、予め定める第１方向に垂直な予め定める第２方向において表示部に隣接し、第１操作面と第２操作面とは、予め定める第１方向から見て予め定める第２方向に垂直な予め定める第３方向に並んで配置され、予め定める第１方向のうち第２端部から第１端部に向かう方向において第１操作面の最も下流側の第１操作端部と第２操作面の最も下流側の第２操作端部とは異なる位置に配置される。【選択図】図８
2020185949.tif 000002
【特許請求の範囲】
【請求項１】
人力駆動車用のインタフェース装置であって、
ベース部と、
前記ベース部に設けられ、表示面を含む表示部と、
前記ベース部に設けられ、第１操作面を有する第１操作部と、
前記ベース部に設けられ、第２操作面を有する第２操作部と、を備え、
前記ベース部は、前記表示面と実質的に直交する予め定める第１方向において、第１端部と第２端部とを有し、
前記表示部は、前記ベース部の前記第１端部に少なくとも設けられ、
前記第１操作面および前記第２操作面のそれぞれは、前記予め定める第１方向から見て、前記予め定める第１方向に垂直な予め定める第２方向において、前記表示部に隣接し、
前記第１操作面と前記第２操作面とは、前記予め定める第１方向から見て、前記予め定める第２方向に垂直な予め定める第３方向に並んで配置され、
前記予め定める第１方向のうち、前記第２端部から前記第１端部に向かう方向において、前記第１操作面の最も下流側の第１操作端部と、前記第２操作面の最も下流側の第２操作端部とは、異なる位置に配置される、インタフェース装置。
【請求項２】
前記ベース部に設けられ、前記第１操作面が操作されると信号を生成するように構成される第１電子部品、および、前記第２操作面が操作されると信号を生成するように構成される第２電子部品が実装される第１回路基板と、
前記ベース部に設けられ、前記表示部に情報を表示させるように構成される電子回路に含まれる第３電子部品が実装される第２回路基板と、をさらに備え、
前記第１回路基板と前記第２回路基板とは、一体に形成される、請求項１に記載のインタフェース装置。
【請求項３】
前記ベース部は、前記第１操作部および前記第２操作部が設けられる第１配置面を含み、
前記第１配置面は、平面に形成され、前記予め定める第２方向から見て、前記予め定める第３方向に平行な直線に対して傾斜する、請求項１または２に記載のインタフェース装置。
【請求項４】
前記第１操作部は、前記ベース部に移動可能に設けられ、
前記第２操作部は、前記第１操作部から独立して操作可能に、前記ベース部に移動可能に設けられる、請求項１から３のいずれか一項に記載のインタフェース装置。
【請求項５】
前記第１操作部の移動方向と、前記第２操作部の移動方向とは平行する、請求項４に記載のインタフェース装置。
【請求項６】
前記第１操作部の移動方向と、前記第２操作部の移動方向とは、前記予め定める第２方向から見て、前記予め定める第１方向に対して傾斜する、請求項４または５に記載のインタフェース装置。
【請求項７】
前記第１操作部に操作をしない状態における前記第１配置面から前記第１操作面の前記第１操作端部までの第１距離と、前記第２操作部に操作をしない状態における前記第１配置面から前記第２操作面の前記第２操作端部までの第２距離と、は、等しい、請求項３に記載のインタフェース装置。
【請求項８】
前記ベース部に設けられ、第３操作面を有する第３操作部をさらに備え、
前記ベース部は、前記第１配置面とは異なり、かつ、前記第３操作部が設けられる第２配置面をさらに含む、請求項３または７に記載のインタフェース装置。
【請求項９】
前記予め定める第２方向から見て、前記第１操作端部と前記第２操作端部とを結ぶ直線は、前記予め定める第３方向に平行な直線に対して、傾斜する、請求項１から８のいずれか一項に記載のインタフェース装置。
【請求項１０】
前記表示面は、平面である、請求項１から９のいずれか一項に記載のインタフェース装置。
【請求項１１】
人力駆動車の車体に取り付け可能に構成される取付部をさらに備える、請求項１から１０のいずれか一項に記載のインタフェース装置。
【請求項１２】
前記取付部は、前記人力駆動車のハンドルバーに取り付け可能に構成される、請求項１１に記載のインタフェース装置。
【請求項１３】
前記取付部は、前記ベース部の前記第２端部に設けられる、請求項１１または１２に記載のインタフェース装置。
【請求項１４】
前記ベース部は、前記第１操作部、前記第２操作部、および、前記表示部が設けられる第１部分と、前記取付部が設けられる第２部分と、を含む、請求項１１から１３のいずれか一項に記載のインタフェース装置。
【請求項１５】
前記第１操作面の形状と前記第２操作面の形状とは、前記予め定める第２方向に平行な予め定める平面に関して、対称である、請求項１から１４のいずれか一項に記載のインタフェース装置。
【請求項１６】
前記第１操作面の形状と前記第２操作面の形状とは、異なる、請求項１から１５のいずれか一項に記載のインタフェース装置。
【請求項１７】
前記第１操作面は、第３操作端部をさらに有し、
前記第１操作端部は、前記第３操作端部よりも前記第２操作面から遠い位置に配置され、
前記第２操作面は、第４操作端部をさらに有し、
前記第２操作端部は、前記第４操作端部よりも前記第１操作面から遠い位置に配置され、
前記予め定める第１方向のうち、前記第１端部から前記第２端部に向かう方向において、前記第３操作端部は、第１操作端部よりも下流側に位置し、
前記予め定める第１方向のうち、前記第１端部から前記第２端部に向かう方向において、前記第４操作端部は、第２操作端部よりも下流側に位置する、請求項１から１６のいずれか一項に記載のインタフェース装置。
【発明の詳細な説明】
【技術分野】
【０００１】
本発明は、人力駆動車用のインタフェース装置に関する。
【背景技術】
【０００２】
例えば、特許文献１に開示されている人力駆動車は、第１操作面と、第２操作面と、表示面を含む表示部と、を備えるインタフェース装置を含む。
【先行技術文献】
【特許文献】
【０００３】
【特許文献１】特許第５５１７１６９号公報
【発明の概要】
【発明が解決しようとする課題】
【０００４】
本発明の目的の１つは、ユーザビリティに貢献できるインタフェース装置を提供することである。
【課題を解決するための手段】
【０００５】
本開示の第１側面に従うインタフェース装置は、人力駆動車用のインタフェース装置であって、ベース部と、前記ベース部に設けられ、表示面を含む表示部と、前記ベース部に設けられ、第１操作面を有する第１操作部と、前記ベース部に設けられ、第２操作面を有する第２操作部と、を備え、前記ベース部は、前記表示面と実質的に直交する予め定める第１方向において、第１端部と第２端部とを有し、前記表示部は、前記ベース部の前記第１端部に少なくとも設けられ、前記第１操作面および前記第２操作面のそれぞれは、前記予め定める第１方向から見て、前記予め定める第１方向に垂直な予め定める第２方向において、前記表示部に隣接し、前記第１操作面と前記第２操作面とは、前記予め定める第１方向から見て、前記予め定める第２方向に垂直な予め定める第３方向に並んで配置され、前記予め定める第１方向のうち、前記第２端部から前記第１端部に向かう方向において、前記第１操作面の最も下流側の第１操作端部と、前記第２操作面の最も下流側の第２操作端部とは、異なる位置に配置される。
第１側面のインタフェース装置によれば、予め定める第２方向において第１操作部および第２操作部が表示部に隣接し、かつ、予め定める第１方向において、第１操作端部と第２操作端部とは異なる位置に配置されるため、インタフェース装置をユーザが表示面を見やすく、かつ、第１操作部および第２操作部の両方を操作しやすい位置に配置できる。このため、ユーザビリティに貢献できる。
【０００６】
本開示の第１側面に従う第２側面のインタフェース装置において、前記ベース部に設けられ、前記第１操作面が操作されると信号を生成するように構成される第１電子部品、および、前記第２操作面が操作されると信号を生成するように構成される第２電子部品が実装される第１回路基板と、前記表示部に情報を表示させるように構成される電子回路に含まれる第３電子部品が実装される第２回路基板と、をさらに備え、前記第１回路基板と前記第２回路基板とは、一体に形成される。
第２側面のインタフェース装置によれば、第１回路基板と第２回路基板とが一体に形成されるため、部品点数を削減できる。
【０００７】
本開示の第１または第２側面に従う第３側面のインタフェース装置において、前記ベース部は、前記第１操作部および前記第２操作部が設けられる第１配置面を含み、前記第１配置面は、平面に形成され、前記予め定める第２方向から見て、前記予め定める第３方向に平行な直線に対して傾斜する。
第３側面のインタフェース装置によれば、第１配置面が予め定める第２方向から見て、予め定める第２方向に平行な直線に対して傾斜するため、ユーザは第１配置面に沿って指等を動かすことによって、第１操作部および第２操作部のそれぞれに指等を移動しやすい。
【０００８】
本開示の第１から第３側面のいずれか１つに従う第４側面のインタフェース装置において、前記第１操作部は、前記ベース部に移動可能に設けられ、前記第２操作部は、前記第１操作部から独立して操作可能に、前記ベース部に移動可能に設けられる。
第４側面のインタフェース装置によれば、ユーザが第１操作部と第２操作部とを区別して操作しやすい。
【０００９】
本開示の第４側面に従う第５側面のインタフェース装置において、前記第１操作部の移動方向と、前記第２操作部の移動方向とは平行する。
第５側面のインタフェース装置によれば、ユーザが第１操作部の移動方向と第２操作部の移動方向とを直感的に把握しやすい。
【００１０】
本開示の第４または第５側面に従う第６側面のインタフェース装置において、前記第１操作部の移動方向と、前記第２操作部の移動方向とは、前記予め定める第２方向から見て、前記予め定める第１方向に対して傾斜する。
第６側面のインタフェース装置によれば、第１操作部および第２操作部の両方を操作しやすい。
【００１１】
本開示の第３側面に従う第７側面のインタフェース装置において、前記第１操作部に操作をしない状態における前記第１配置面から前記第１操作面の前記第１操作端部までの第１距離と、前記第２操作部に操作をしない状態における前記第１配置面から前記第２操作面の前記第２操作端部までの第２距離と、は、等しい。
第７側面のインタフェース装置によれば、第１距離と第２距離とが同じになるように第１操作部および第２操作部を第１配置面に配置できる。
【００１２】
本開示の第３または第７側面に従う第８側面のインタフェース装置において、前記ベース部に設けられ、第３操作面を有する第３操作部をさらに備え、前記ベース部は、前記第１配置面とは異なり、かつ、前記第３操作部が設けられる第２配置面をさらに含む。
第８側面のインタフェース装置によれば、第１配置面と異なる第２配置面に、第３操作部を設けることができる。
【００１３】
本開示の第１から第８側面のいずれか１つに従う第９側面のインタフェース装置において、前記予め定める第２方向から見て、前記第１操作端部と前記第２操作端部とを結ぶ直線は、前記予め定める第３方向に平行な直線に対して、傾斜する。
第９側面のインタフェース装置によれば、予め定める第２方向から見て、第１操作端部と第２操作端部とを結ぶ直線が予め定める第３方向に平行な直線に対して傾斜するように、第１操作部および第２操作部をベース部に設けることができる。
【００１４】
本開示の第１から第９側面のいずれか１つに従う第１０側面のインタフェース装置において、前記表示面は、平面である。
第１０側面のインタフェース装置によれば、表示面を平面によって構成できる。
【００１５】
本開示の第１から第１０側面のいずれか１つに従う第１１側面のインタフェース装置において、人力駆動車の車体に取り付け可能に構成される取付部をさらに備える。
第１１側面のインタフェース装置によれば、取付部によってインタフェース装置を人力駆動車の車体に取り付けできる。
【００１６】
本開示の第１１側面に従う第１２側面のインタフェース装置において、前記取付部は、前記人力駆動車のハンドルバーに取り付け可能に構成される。
第１２側面のインタフェース装置によれば、取付部によってインタフェース装置を人力駆動車のハンドルバーに取り付けできる。
【００１７】
本開示の第１１または第１２側面に従う第１３側面のインタフェース装置において、前記取付部は、前記ベース部の前記第２端部に設けられる。
第１３側面のインタフェース装置によれば、予め定める第１方向において、表示部が設けられる第１端部とは反対側の第２端部において、インタフェース装置を人力駆動車の車体に取り付けできる。
【００１８】
本開示の第１１から第１３側面のいずれか１つに従う第１４側面のインタフェース装置において、前記ベース部は、前記第１操作部、前記第２操作部、および、前記表示部が設けられる第１部分と、前記取付部が設けられる第２部分と、を含む。
第１４側面のインタフェース装置によれば、ベース部を第１部分と第２部分との少なくとも２つに分割して構成できる。
【００１９】
本開示の第１から第１４側面のいずれか１つに従う第１５側面のインタフェース装置において、前記第１操作面の形状と前記第２操作面の形状とは、前記予め定める第２方向に平行な予め定める平面に関して、対称である。
第１５側面のインタフェース装置によれば、予め定める第２方向に平行な予め定める平面に関して、第１操作面の形状と第２操作面の形状とを対称にできる。
【００２０】
本開示の第１から第１５側面のいずれか１つに従う第１６側面のインタフェース装置において、前記第１操作面の形状と前記第２操作面の形状とは、異なる。
第１６側面のインタフェース装置によれば、第１操作面の形状と第２操作面の形状とが異なるため、ユーザは第１操作面と第２操作面とをそれぞれ把握しやすい。
【００２１】
本開示の第１から第１６側面のいずれか１つに従う第１７側面のインタフェース装置において、前記第１操作面は、第３操作端部をさらに有し、前記第１操作端部は、前記第３操作端部よりも前記第２操作面から遠い位置に配置され、前記第２操作面は、第４操作端部をさらに有し、前記第２操作端部は、前記第４操作端部よりも前記第１操作面から遠い位置に配置され、前記予め定める第１方向のうち、前記第１端部から前記第２端部に向かう方向において、前記第３操作端部は、第１操作端部よりも下流側に位置し、前記予め定める第１方向のうち、前記第１端部から前記第２端部に向かう方向において、前記第４操作端部は、第２操作端部よりも下流側に位置する。
第１７側面のインタフェース装置によれば、第１操作部および第２操作部の両方を操作しやすい。
【発明の効果】
【００２２】
本開示の人力駆動車用のインタフェース装置は、ユーザビリティに貢献できる。
【図面の簡単な説明】
【００２３】
【図１】第１実施形態の人力駆動車用のインタフェース装置を含む人力駆動車の側面図。
【図２】第１実施形態の人力駆動車用のインタフェース装置の正面図。
【図３】図２の人力駆動車用インタフェース装置の斜視図。
【図４】図２の人力駆動車用インタフェース装置の第１側面図。
【図５】図２の人力駆動車用インタフェース装置の第２側面図。
【図６】図２の人力駆動車用インタフェース装置の底面図。
【図７】図２の人力駆動車用インタフェース装置からベース部の第１部分を取り外した状態の人力駆動車用のインタフェース装置の正面図。
【図８】図４の人力駆動車用インタフェース装置の部分拡大図。
【図９】第２実施形態の人力駆動車用のインタフェース装置の斜視図。
【図１０】図９の人力駆動車用のインタフェース装置の第１側面図。
【図１１】図１０の人力駆動車用インタフェース装置の部分拡大図。
【図１２】第１変形例の人力駆動車用のインタフェース装置の第１側面図。
【図１３】第２変形例の人力駆動車用のインタフェース装置の第１側面図。
【発明を実施するための形態】
【００２４】
＜第１実施形態＞
図１から図８を参照して、第１実施形態の人力駆動車用のインタフェース装置４０について説明する。以下、人力駆動車用のインタフェース装置４０を、単にインタフェース装置４０と記載する。人力駆動車１０は、少なくとも人力駆動力によって駆動することができる車である。人力駆動車１０は、例えばマウンテンバイク、ロードバイク、シティバイク、カーゴバイク、および、リカンベントなど種々の種類の自転車、ならびに、電動自転車（Ｅ−ｂｉｋｅ）を含む。人力駆動車１０は、車輪の数が限定されず、例えば１輪車および３輪以上の車輪を有する車も含む。電動自転車は、電気モータによって車両の推進を補助する電動アシスト自転車を含む。以下、実施形態において、人力駆動車１０を、自転車として説明する。
【００２５】
人力駆動車１０は、第１車輪１２Ａと第２車輪１２Ｂと、を含む。本実施形態では、第１車輪１２Ａは前輪を含み、第２車輪１２Ｂは後輪を含む。人力駆動車１０は、クランク１４をさらに含む。人力駆動車１０は、車体１６をさらに備える。車体１６は、フレーム１８をさらに備える。クランク１４には、人力駆動力が入力される。クランク１４は、フレーム１８に対して回転可能なクランク軸１４Ａと、クランク軸１４Ａの軸方向の端部にそれぞれ設けられるクランクアーム１４Ｂとを含む。各クランクアーム１４Ｂには、一対のペダル２０がそれぞれ連結される。本実施形態では、後輪が、駆動輪である。駆動輪は、クランク１４が回転することによって駆動される。駆動輪は、フレーム１８に支持される。クランク１４と駆動輪とは、駆動機構２２によって連結される。駆動機構２２は、クランク軸１４Ａに結合される第１回転体２４を含む。クランク軸１４Ａと第１回転体２４とは、第１ワンウェイクラッチを介して結合されていてもよい。第１ワンウェイクラッチは、クランク１４が前転した場合に、第１回転体２４を前転させ、クランク１４が後転した場合に、第１回転体２４を後転させないように構成される。第１回転体２４は、スプロケット、プーリ、または、ベベルギアを含む。駆動機構２２は、第２回転体２６と、連結部材２８とをさらに含む。連結部材２８は、第１回転体２４の回転力を第２回転体２６に伝達する。連結部材２８は、例えば、チェーン、ベルト、または、シャフトを含む。
【００２６】
第２回転体２６は、駆動輪に連結される。第２回転体２６は、スプロケット、プーリ、または、ベベルギアを含む。第２回転体２６と駆動輪との間には、好ましくは、第２ワンウェイクラッチが設けられている。第２ワンウェイクラッチは、第２回転体２６が前転した場合に、駆動輪を前転させ、第２回転体２６が後転した場合に、駆動輪を後転させないように構成される。
【００２７】
第２車輪１２Ｂが前輪を含み、第１車輪１２Ａが後輪を含んでいてもよい。車体１６は、フロントフォーク３０、ステム３２、および、ハンドルバー３４をさらに含む。フレーム１８には、フロントフォーク３０を介して前輪が取り付けられている。フロントフォーク３０には、ハンドルバー３４がステム３２を介して連結されている。以下の実施形態では、後輪を駆動輪として説明するが、前輪が駆動輪であってもよく、前輪および後輪の両方が駆動輪であってもよい。
【００２８】
人力駆動車１０は、人力駆動車用のバッテリ３６を含む。バッテリ３６は、１または複数のバッテリ素子を含む。バッテリ素子は、充電池を含む。バッテリ３６は、インタフェース装置４０に電力を供給するように構成される。バッテリ３６は、インタフェース装置４０と電線または無線通信ユニットを介して通信可能に接続されてもよい。バッテリ３６は、例えば電力線通信（ＰＬＣ；power line communication）によってインタフェース装置４０と通信可能に構成されてもよい。バッテリ３６は、例えばフレーム１８に設けられる。バッテリ３６は、例えば少なくとも一部がフレーム１８に収容されていてもよく、全体がフレーム１８に収容されていてもよい。インタフェース装置４０には、バッテリ３６とは異なるバッテリ４１が設けられてもよい。バッテリ４１は、例えば充電池であってもよく、一次電池であってもよく、コンデンサであってもよい。一次電池は、充電できない電池を含む。バッテリ４１は、バッテリ３６によって充電されるように構成されてもよい。バッテリ４１は、インタフェース装置４０のベース部４２に収容される。バッテリ４１がインタフェース装置４０のベース部４２に収容される場合、好ましくは、インタフェース装置４０は、バッテリ４１を含む。
【００２９】
人力駆動車１０は、ドライブユニット３８を含んでいてもよい。ドライブユニット３８は、人力駆動車１０に推進力を付与するように構成されるモータ３８Ａを含む。モータ３８Ａは、電気モータを含む。モータ３８Ａは、ペダル２０から後輪までの人力駆動力の動力伝達経路、または、前輪に回転を伝達するように設けられる。ペダル２０から後輪までの人力駆動力の動力伝達経路は、後輪を含む。本実施形態では、モータ３８Ａは、第１回転体２４に回転を伝達するように設けられる。モータ３８Ａおよびモータ３８Ａが設けられるハウジングは、ドライブユニット３８を構成する。モータ３８Ａとクランク軸１４Ａとの間の動力伝達経路には、好ましくは、クランク軸１４Ａを人力駆動車１０が前進する方向に回転させた場合にクランク１４の回転力によってモータ３８Ａが回転しないように第３ワンウェイクラッチが設けられる。
【００３０】
ハンドルバー３４は、人力駆動車１０の左右方向に延びる部分を有する。本実施形態のインタフェース装置４０は、人力駆動車１０のハンドルバー３４において、人力駆動車１０の左右方向に延びる部分のうち、左側のグリップの近傍に取り付けることによって、好適に用いられる。人力駆動車１０の左右方向は、人力駆動車１０にライダが一般的な姿勢で乗車した状態において、ライダの左右方向と等しい。ライダが人力駆動車１０に一般的な姿勢で乗車した場合、ライダの左手はハンドルバー３４の左側のグリップを把持する。
【００３１】
インタフェース装置４０は、ベース部４２と、表示部４４と、第１操作部４６と、第２操作部４８と、を備える。表示部４４は、ベース部４２に設けられ、表示面５０を含む。第１操作部４６は、ベース部４２に設けられ、第１操作面５２を有する。第２操作部４８は、ベース部４２に設けられ、第２操作面５４を有する。ベース部４２は、表示面５０と実質的に直交する予め定める第１方向Ｄ１において、第１端部５６と第２端部５８とを有する。表示部４４は、ベース部４２の第１端部５６に少なくとも設けられる。
【００３２】
好ましくは、ベース部４２は、第１面４２Ａと、第２面４２Ｂと、を備える。第１面４２Ａは、予め定める第１方向Ｄ１と交差する。第２面４２Ｂは、予め定める第１方向Ｄ１と交差し、かつ、第１面４２Ａとは反対方向を向く。第１操作部４６および第２操作部４８は、第１面４２Ａから突出するように、ベース部４２に設けられる。好ましくは、ベース部４２は、第１面４２Ａと第２面４２Ｂとを接続する第３面４２Ｃとをさらに備える。好ましくは、ベース部４２は、第１部分６０と、第２部分６２と、を含む。第１部分６０には、第１操作部４６、第２操作部４８、および、表示部４４が設けられる。第１部分６０は、第１面４２Ａを含む。第２部分６２は、第２面４２Ｂを含む。第１部分６０は、第２部分６２に取り付けられる。ベース部４２は、ハウジングを形成する。第１部分６０と第２部分６２との間には、空間４２Ｓが形成される。ベース部４２は、例えば合成樹脂を含んで形成される。
【００３３】
好ましくは、インタフェース装置４０は、パネル部材４４Ａをさらに備える。表示面５０は、パネル部材４４Ａの表面に形成される。パネル部材４４Ａは、液晶パネルを含んでいてもよく、有機ＥＬ（electro-luminescence）パネルを含んでいてもよく、タッチパネルを含んでいてもよい。表示面５０は、例えば、四角形状に構成される。表示面５０の形状は、特に限定されない。好ましくは、表示面５０は、平面である。表示面５０は、少なくとも一部が湾曲または屈曲していてもよい。表示面５０の少なくとも一部が湾曲または屈曲する場合、第１方向Ｄ１は、例えば、表示面５０の予め定める点における接平面と実質的に直交する。予め定める点は、一例では、表示面５０上かつ表示面５０の重心と対応する位置およびその周辺領域から選ばれる。予め定める点は、別例では、表示面５０の外周上の任意の２点を結び、かつ、表示面５０に沿う線分のうちの最も長い線分を二分する点およびその周辺領域から選ばれる。
【００３４】
パネル部材４４Ａの表示面５０と第１部分６０の第１面４２Ａとが、同一平面上に含まれるようにパネル部材４４Ａは、ベース部４２に設けられてもよい。パネル部材４４Ａの表示面５０は、予め定める第１方向Ｄ１のうち、第２端部５８から第１端部５６に向かう方向Ｄ１１において、第１部分６０の第１面４２Ａよりも、下流側に配置されてもよい。パネル部材４４Ａの表示面５０は、予め定める第１方向Ｄ１のうち、方向Ｄ１１において、第１部分６０の第１面４２Ａよりも、上流側に配置されてもよい。ベース部４２には、第１面４２Ａに開口し、パネル部材４４Ａの少なくとも一部が配置される第１貫通孔６０Ａが形成されてもよい。第１部分６０の第１面４２Ａは、パネル部材４４Ａの表示面５０を覆うように形成されてもよい。第１部分６０の第１面４２Ａが、パネル部材４４Ａの表示面５０を覆うように形成される場合、第１部分６０の第１面４２Ａのうちパネル部材４４Ａの表示面５０を覆う部分は、透光性を有する材料によって形成される。透光性を有する材料は、例えば樹脂またはガラスを含む。インタフェース装置４０は、パネル部材４４Ａの表示面５０を覆うように構成されるカバー部材をさらに備えていてもよい。インタフェース装置４０がカバー部材を備える場合、カバー部材は、透光性を有する材料によって形成される。
【００３５】
第１操作面５２および第２操作面５４のそれぞれは、予め定める第１方向Ｄ１から見て、予め定める第１方向Ｄ１に垂直な予め定める第２方向Ｄ２において、表示部４４に隣接する。第１操作面５２と第２操作面５４とは、予め定める第１方向Ｄ１から見て、予め定める第２方向Ｄ２に垂直な予め定める第３方向Ｄ３に並んで配置される。本実施形態では、インタフェース装置４０は、ベース部４２に設けられる第４操作部６６をさらに備える。第４操作部６６は、第４操作面６８を有する。第４操作部６６は、予め定める第２方向Ｄ２において、表示部４４に隣接する。第１操作面５２、第２操作面５４、および、第４操作面６８は、予め定める第１方向Ｄ１から見て、予め定める第３方向Ｄ３に並んで配置される。第４操作面６８は、予め定める第１方向Ｄ１から見て、予め定める第３方向Ｄ３において、第１操作面５２と第２操作面５４との間に配置される。本実施形態では、予め定める第１方向Ｄ１から、かつ、表示面５０が３つの操作部４６，４８，６６の右方になるように見た場合、３つの操作部４６，４８，６６のうちの最も上方の操作部４６，４８，６６が第１操作部４６であり、最も下方の操作部４６，４８，６６が第２操作部４８であり、第１操作部４６と第２操作部４８との間に配置される操作部４６，４８，６６が第４操作部６６である。
【００３６】
好ましくは、第１操作部４６は、ベース部４２に移動可能に設けられ、第２操作部４８は、第１操作部４６から独立して操作可能に、ベース部４２に移動可能に設けられる。好ましくは、第１操作部４６の移動方向Ｍ１１と、第２操作部４８の移動方向Ｍ２１とは平行する。例えば、第１操作部４６は、ベース部４２に設けられ、ベース部４２に対して移動方向Ｍ１１に移動可能に構成されるボタンである。第２操作部４８は、ベース部４２のうちの第１操作部４６が設けられる場所とは異なる場所に設けられる。例えば、第２操作部４８は、ベース部４２に対して移動方向Ｍ２１に移動可能に構成されるボタンである。第１操作部４６がボタンの場合、第１操作面５２は、第１操作部４６のうちの移動方向Ｍ１１の一方の端部に形成される。第２操作部４８がボタンの場合、第２操作面５４は、第２操作部４８のうちの移動方向Ｍ２１の一方の端部に形成される。本実施形態では、第１操作面５２は、平面であってもよく、曲面であってもよい。第２操作面５４は、平面であってもよく、曲面であってもよい。本実施形態では、第１操作面５２および第２操作面５４は、平面である。好ましくは、第１操作面５２の形状と第２操作面５４の形状とは、予め定める第２方向Ｄ２に平行な予め定める平面５３に関して、対称である。好ましくは、予め定める平面５３は、第１操作面５２と第２操作面５４との間を通過する。本実施形態では、第１操作面５２および第２操作面５４は、予め定める平面５３に近い部分の幅が大きな台形形状を有する。第１操作面５２および第２操作面５４の形状は、特に限定されず、例えば三角形状であってもよく、円形状であってもよく、四角形状であってもよい。第１操作部４６と第２操作部４８とは、別体に形成されてもよい。第１操作部４６と第２操作部４８とは、例えばゴムなどの弾性材料によって、一体成形されてもよい。
【００３７】
好ましくは、第４操作部６６は、第１操作部４６および第２操作部４８から独立して操作可能に、ベース部４２に移動可能に設けられる。好ましくは、第４操作部６６の移動方向Ｍ４１と、第１操作部４６の移動方向Ｍ１１および第２操作部４８の移動方向Ｍ２１とは平行する。例えば、第４操作部６６は、ベース部４２のうちの第１操作部４６および第２操作部４８が設けられる場所とは異なる場所に設けられ、ベース部４２に対して移動方向Ｍ４１に移動可能に構成されるボタンである。第４操作部６６がボタンの場合、第４操作面６８は、第４操作部６６のうちの移動方向Ｍ４１の一方の端部に形成される。第４操作面６８は、平面であってもよく、曲面であってもよい。第４操作面６８の形状と、第１操作面５２および第２操作面５４の形状とは、異なってもよく、同じでもよい。本実施形態では、第４操作面６８は、四角形状を有する。好ましくは、予め定める第２方向Ｄ２における第１操作部４６の最大幅および第２操作部４８の最大幅は、等しい。好ましくは、予め定める第２方向Ｄ２における第４操作部６６の最大幅は、第１操作部４６の最大幅および第２操作部４８の最大幅よりも小さい。好ましくは、第４操作部６６は、第４操作部６６から第１操作部４６までの距離と、第４操作部６６から第２操作部４８までの距離と、が等しくなるようにベース部４２に設けられる。好ましくは、予め定める平面５３は、第１操作部４６と第２操作部４８との間において、第４操作面６８の中心を通過する。好ましくは、予め定める平面５３に関して、第４操作面６８は、対称の形状を有する。
【００３８】
第１部分６０には、第１面４２Ａに開口し、第１操作部４６、第２操作部４８、および、第４操作部６６の少なくとも一部を配置するように構成される１つ以上の第２貫通孔６０Ｂが形成される。好ましくは、第１操作部４６、第２操作部４８、および、第４操作部６６のそれぞれと個別に対応する複数の第２貫通孔６０Ｂが第１部分６０に形成される。各第２貫通孔６０Ｂは、第１操作部４６、第２操作部４８、または、第４操作部６６の形状と対応する。第１操作部４６、第２操作部４８、および、第４操作部６６は、対応する各第２貫通孔６０Ｂを通過するように配置される。
【００３９】
好ましくは、ベース部４２は、第１操作部４６および第２操作部４８が設けられる第１配置面６４を含む。好ましくは、第１配置面６４は、平面に形成され、予め定める第２方向Ｄ２から見て、予め定める第３方向Ｄ３に平行な直線Ｋ３に対して傾斜する。好ましくは、第１配置面６４は、予め定める第２方向Ｄ２から見て、予め定める第４方向Ｄ４に沿って延びる。直線Ｋ３は、予め定める第２方向Ｄ２から見て、予め定める第４方向Ｄ４に平行な直線Ｋ４に対して傾斜する。第１配置面６４は、ベース部４２の第１面４２Ａに含まれる。好ましくは、第１配置面６４は、予め定める第２方向Ｄ２から見た場合、第１操作部４６が設けられる場所から第２操作部４８が設けられる場所に向かう方向において、ベース部４２の第１端部５６から第２端部５８に向かうように傾斜する。好ましくは、第１配置面６４は、予め定める第２方向Ｄ２から見た場合、予め定める第１方向Ｄ１において、少なくとも一部が表示面５０に関してベース部４２の第２端部５８側に配置される。好ましくは、第１配置面６４は、予め定める第２方向Ｄ２から見た場合、予め定める第３方向Ｄ３における第１操作部４６側の端部よりも第２操作部４８側が、表示面５０からベース部４２の第２端部５８側に離れた位置に配置される。
【００４０】
好ましくは、第１操作面５２は、予め定める第２方向Ｄ２から見て、予め定める第４方向Ｄ４と平行な直線Ｋ４と実質的に平行する。好ましくは、第２操作面５４は、予め定める第２方向Ｄ２から見て、予め定める第４方向Ｄ４と平行な直線Ｋ４と実質的に平行する。好ましくは、第４操作面６８は、予め定める第２方向Ｄ２から見て、予め定める第４方向Ｄ４と平行な直線Ｋ４と実質的に平行する。
【００４１】
好ましくは、第１操作部４６の移動方向Ｍ１１と、第２操作部４８の移動方向Ｍ２１とは、予め定める第２方向Ｄ２から見て、予め定める第１方向Ｄ１に対して傾斜する。本実施形態では、第１操作部４６の移動方向Ｍ１１と、第２操作部４８の移動方向Ｍ２１とは、予め定める第２方向Ｄ２から見て、予め定める第４方向Ｄ４と平行な直線Ｋ４と直交する。
【００４２】
好ましくは、予め定める第１方向Ｄ１のうち、第２端部５８から第１端部５６に向かう方向Ｄ１１において、第１操作面５２の最も下流側の第１操作端部５２Ａと、第２操作面５４の最も下流側の第２操作端部５４Ａとは、異なる位置に配置される。好ましくは、予め定める第１方向Ｄ１のうち、第２端部５８から第１端部５６に向かう方向Ｄ１１において、第４操作面６８の最も下流側の第５操作端部６８Ａと、第１操作端部５２Ａの位置とは、異なる位置に配置される。好ましくは、予め定める第１方向Ｄ１のうち、第２端部５８から第１端部５６に向かう方向Ｄ１１において、第５操作端部６８Ａと、第２操作端部５４Ａとは、異なる位置に配置される。
【００４３】
第１操作面５２は、第３操作端部５２Ｂをさらに有し、第１操作端部５２Ａは、第３操作端部５２Ｂよりも第２操作面５４から遠い位置に配置される。第２操作面５４は、第４操作端部５４Ｂをさらに有し、第４操作端部５４Ｂは、第２操作端部５４Ａよりも第１操作面５２から遠い位置に配置される。予め定める第１方向Ｄ１のうち、第１端部５６から第２端部５８に向かう方向Ｄ１２において、第３操作端部５２Ｂは、第１操作端部５２Ａよりも下流側に位置する。好ましくは、予め定める第１方向Ｄ１のうち、第１端部５６から第２端部５８に向かう方向Ｄ１２において、第４操作端部５４Ｂは、第２操作端部５４Ａよりも下流側に位置する。好ましくは、第１操作端部５２Ａ、第３操作端部５２Ｂ、第２操作端部５４Ａ、および、第４操作端部５４Ｂは、予め定める第１方向Ｄ１のうち、第１端部５６から第２端部５８に向かう方向Ｄ１２において、第１操作端部５２Ａ、第３操作端部５２Ｂ、第２操作端部５４Ａ、および、第４操作端部５４Ｂの順に並ぶ。
【００４４】
第４操作面６８は、第６操作端部６８Ｂをさらに有する。第６操作端部６８Ｂは、第５操作端部６８Ａよりも第１操作面５２から遠い位置に配置される。予め定める第１方向Ｄ１のうち、第１端部５６から第２端部５８に向かう方向Ｄ１２において、第６操作端部６８Ｂは、第５操作端部６８Ａよりも下流側に位置する。例えば、第１操作端部５２Ａ、第３操作端部５２Ｂ、第２操作端部５４Ａ、第４操作端部５４Ｂ、第５操作端部６８Ａ、および、第６操作端部６８Ｂは、予め定める第１方向Ｄ１において全て異なる位置に配置される。例えば、第１操作端部５２Ａ、第３操作端部５２Ｂ、第２操作端部５４Ａ、第４操作端部５４Ｂ、第５操作端部６８Ａ、および、第６操作端部６８Ｂは、予め定める第１方向Ｄ１のうち、第１端部５６から第２端部５８に向かう方向Ｄ１２において、第１操作端部５２Ａ、第５操作端部６８Ａ、第６操作端部６８Ｂ、第３操作端部５２Ｂ、第２操作端部５４Ａ、および、第４操作端部５４Ｂの順に並ぶ。
【００４５】
好ましくは、予め定める第２方向Ｄ２から見て、第１操作面５２の第１操作端部５２Ａ、第１操作面５２の第３操作端部５２Ｂ、第２操作面５４の第２操作端部５４Ａ、および、第２操作面５４の第４操作端部５４Ｂのうちの３つ以上は、予め定める第１方向Ｄ１において異なる位置に配置される。予め定める第２方向Ｄ２から見て、第１配置面６４において予め定める第３方向Ｄ３に並ぶ全ての操作面のうちの予め定める方向Ｄ１１の最も下流側の端部および最も上流側の端部の全てが、予め定める第１方向Ｄ１において全て異なる位置に配置されてもよい。
【００４６】
好ましくは、予め定める第２方向Ｄ２から見て、第１操作端部５２Ａと第２操作端部５４Ａとを結ぶ直線Ｋ５は、予め定める第３方向Ｄ３に平行な直線Ｋ３に対して、傾斜する。例えば、予め定める第２方向Ｄ２から見て、第１操作端部５２Ａと第２操作端部５４Ａとを結ぶ直線Ｋ５は、予め定める第４方向Ｄ４に平行な直線Ｋ４に平行する。本実施形態では、予め定める第２方向Ｄ２から見て、直線Ｋ５は、直線Ｋ３に対して、５度以上８０度以下の範囲において傾斜する。好ましくは、予め定める第２方向Ｄ２から見て、直線Ｋ５は、直線Ｋ３に対して、５度以上３０度以下の範囲において傾斜する。さらに好ましくは、予め定める第２方向Ｄ２から見て、直線Ｋ５は、直線Ｋ３に対して、５度以上１５度以下の範囲において傾斜する。本実施形態では、予め定める第２方向Ｄ２から見て、直線Ｋ４は、直線Ｋ３に対して、５度以上８０度以下の範囲において傾斜する。好ましくは、予め定める第２方向Ｄ２から見て、直線Ｋ４は、直線Ｋ３に対して、５度以上３０度以下の範囲において傾斜する。さらに好ましくは、予め定める第２方向Ｄ２から見て、直線Ｋ４は、直線Ｋ３に対して、５度以上１５度以下の範囲において傾斜する。
【００４７】
好ましくは、第１操作部４６に操作をしない状態における第１配置面６４から第１操作面５２の第１操作端部５２Ａまでの第１距離Ｌ１１と、第２操作部４８に操作をしない状態における第１配置面６４から第２操作面５４の第２操作端部５４Ａまでの第２距離Ｌ２１と、は、等しい。好ましくは、第４操作部６６に操作をしない状態における第１配置面６４から第４操作面６８の第５操作端部６８Ａまでの第４距離Ｌ４１は、第１距離Ｌ１１および第２距離Ｌ２１よりも大きい。好ましくは、第１操作部４６に操作をしない状態における第１配置面６４からの第１操作部４６の突出量と、第２操作部４８に操作をしない状態における第１配置面６４から第２操作部４８の突出量と、は、等しい。好ましくは、第１操作部４６の移動方向Ｍ１１における最大移動量と、第２操作部４８の移動方向Ｍ２１における最大移動量と、は、等しい。好ましくは、第１操作部４６に操作をしない状態における第１配置面６４からの第１操作部４６の突出量、および、第２操作部４８に操作をしない状態における第１配置面６４から第２操作部４８の突出量は、第４操作部６６に操作をしない状態における第４操作部６６の突出量よりも小さい。
【００４８】
好ましくは、予め定める第２方向Ｄ２から見て、予め定める第１方向Ｄ１のうち、第２端部５８から第１端部５６に向かう方向Ｄ１１において、第１操作端部５２Ａは、表示面５０よりも下流側に位置する。予め定める第２方向Ｄ２から見て、予め定める第１方向Ｄ１のうち、第２端部５８から第１端部５６に向かう方向Ｄ１１において、第２操作端部５４Ａ、第３操作端部５２Ｂ、第４操作端部５４Ｂ、第５操作端部６８Ａ、および、第６操作端部６８Ｂは、表示面５０よりも上流側に位置してもよく、下流側に位置してもよい。
【００４９】
好ましくは、インタフェース装置４０は、第３操作部７０をさらに備える。第３操作部７０は、ベース部４２に設けられ、第３操作面７２を有する。ベース部４２は、第２配置面７４をさらに含む。第２配置面７４は、第１配置面６４とは異なり、かつ、第３操作部７０が設けられる。第２配置面７４は、ベース部４２の第３面４２Ｃに設けられる。本実施形態では、第３操作部７０は、予め定める第１方向Ｄ１から、かつ、表示面５０が３つの操作部４６，４８，６６の右方になるように見た場合、第２配置面７４は、ベース部４２の下方の面を構成する。好ましくは、第３操作部７０は、ベース部４２に移動可能に設けられる。好ましくは、第３操作部７０の移動方向Ｍ３１は、予め定める第４方向Ｄ４に平行する。
【００５０】
好ましくは、人力駆動車１０の車体１６に取り付け可能に構成される取付部７６をさらに備える。好ましくは、取付部７６は、人力駆動車１０のハンドルバー３４に取り付け可能に構成される。取付部７６は、例えば、クランプ７６Ａを含む。好ましくは、取付部７６は、ベース部４２の第２端部５８に設けられる。取付部７６は、第２部分６２に設けられる。好ましくは、取付部７６は、ハンドルバー３４に取り付けた場合、表示部４４がライダの視認しやすい位置、かつ、第１操作部４６および第２操作部４８が親指を用いて操作しやすい位置に配置可能になるようにベース部４２に設けられる。
【００５１】
クランプ７６Ａは、第１端部７６Ｂと、第２端部７６Ｃと、第１端部７６Ｂおよび第２端部７６Ｃを連結する連結部７６Ｄと、を含む。連結部７６Ｄは、内周面が実質的に円環状を有する。第１端部７６Ｂと、第２端部７６Ｃとは、ハンドルバー３４の軸線まわりにおいて、相互に離間して配置され、ハンドルバー３４の軸線まわりにおいて、相互に対向して配置される。第１端部７６Ｂおよび第２端部７６Ｃの一方には、貫通孔が形成され、第１端部７６Ｂおよび第２端部７６Ｃの他方には、雌ねじ部が形成される。貫通孔には、ボルト７７が挿入される。ボルト７７が貫通孔に挿入され、かつ、雌ねじ部に結合されることによって、第１端部７６Ｂと第２端部７６Ｃとが互いに近づき、連結部７６Ｄによってハンドルバー３４が締め付けられる。これによって、クランプ７６Ａがハンドルバー３４に固定される。クランプ７６Ａは、弾性を有する材料によって構成される。クランプ７６Ａは、例えば、金属材料を含んで形成されてもよく、樹脂材料を含んで形成されてもよい。クランプ７６Ａは、ベース部４２に着脱可能に取り付けられてもよく、ベース部４２の第２部分６２と一体成形されてもよい。クランプ７６Ａは、ベース部４２に着脱可能に取り付けられる場合、ベース部４２に対して第２方向Ｄ２に平行な軸線Ｘ１まわりに変位するように構成されてもよい。例えば第２方向Ｄ２に平行な軸線Ｘ１に沿って延びるボルトによって、クランプ７６Ａをベース部４２に取り付けることによって、クランプ７６Ａをベース部４２に対して、第２方向Ｄ２に平行な軸線Ｘ１まわりに変位可能に取り付けることができる。クランプ７６Ａは、例えば第２方向Ｄ２から見て、第３方向Ｄ３におけるベース部４２の中央部、またはベース部４２の中央部よりも第１操作部４６寄りの位置において、ベース部４２に連結される。クランプ７６Ａは、例えば第１方向Ｄ１から見て、第２方向Ｄ２におけるベース部４２の中央部、またはベース部４２の中央部よりも第１操作部４６寄りの位置において、ベース部４２に連結される。好ましくは、クランプ７６Ａは、第１方向Ｄ１から見て、第１操作部４６および第２操作部４８が設けられる第２方向Ｄ２における一端部において、ベース部４２に連結される。
【００５２】
好ましくは、インタフェース装置４０は、第１回路基板７８と、第２回路基板８０と、をさらに備える。第１回路基板７８は、ベース部４２に設けられる。第１回路基板７８には、第１操作面５２が操作されると信号を生成するように構成される第１電子部品８２、および、第２操作面５４が操作されると信号を生成するように構成される第２電子部品８４が実装される。第２回路基板８０は、ベース部４２に設けられる。第１回路基板７８には、表示部４４に情報を表示させるように構成される電子回路に含まれる第３電子部品８６が実装される。好ましくは、第１回路基板７８と第２回路基板８０とは、一体に形成される。好ましくは、第１回路基板７８と第２回路基板８０とは、プリント配線基板を含む。プリント配線基板は、フレキシブルプリント配線基板を含んでいてもよい。第１電子部品８２は、例えば、電気スイッチを含む。第２電子部品８４は、例えば、電気スイッチを含む。第１電子部品８２は、第１操作部４６に直接または間接的に結合される。第２電子部品８４は、第２操作部４８に直接または間接的に結合される。好ましくは、第１操作部４６および第２操作部４８は、それぞれバイアス部材によって初期位置にバイアスされる。バイアス部材は、第１操作部４６および第２操作部４８を、方向Ｄ１１にバイアスする。バイアス部材は、ばね、エラストマ、および、ゴムなどの弾性部材を含む。例えば、第１回路基板７８には、第４操作面６８が操作されると信号を生成するように構成される第４電子部品８５が実装される。第４電子部品８５は、第４操作部６６に直接または間接的に結合される。好ましくは、第４操作部６６は、バイアス部材によってＤ１１方向にバイアスされ、初期位置にバイアスされる。
【００５３】
第３電子部品８６は、例えば、表示部４４の駆動回路を含む。好ましくは、第１回路基板７８および第２回路基板８０は、第１部分６０と第２部分６２との間に形成される空間４２Ｓに配置される。好ましくは、第１回路基板７８および第２回路基板８０は、平面状に形成され、予め定める第２方向Ｄ２から見て、予め定める第３方向Ｄ３に平行な直線Ｋ３に対して、傾斜する。例えば、予め定める第２方向Ｄ２から見て、第１回路基板７８および第２回路基板８０は、予め定める第４方向Ｄ４に平行な直線Ｋ４に平行する。本実施形態では、予め定める第２方向Ｄ２から見て、第１回路基板７８および第２回路基板８０は、直線Ｋ３に対して、５度以上８０度以下の範囲において傾斜する。好ましくは、予め定める第２方向Ｄ２から見て、第１回路基板７８および第２回路基板８０は、直線Ｋ３に対して、５度以上３０度以下の範囲において傾斜する。さらに好ましくは、予め定める第２方向Ｄ２から見て、第１回路基板７８および第２回路基板８０は、直線Ｋ３に対して、５度以上１５度以下の範囲において傾斜する。
【００５４】
第１操作部４６および第２操作部４８は、人力駆動車１０に搭載されるコンポーネントを操作するために用いられる。第１操作部４６および第２操作部４８が操作対象とするコンポーネントは、例えば、ドライブユニット３８、インタフェース装置４０、ランプ、変速機、ブレーキ装置、アジャスタブルシートポスト、および、サスペンション装置の少なくとも１つを含む。第１操作部４６および第２操作部４８の操作対象のコンポーネントがドライブユニット３８の場合、第１操作部４６は、例えば、モータ３８Ａによるアシスト力を大きくさせるための操作部として用いられ、第２操作部４８は、例えば、モータ３８Ａによるアシスト力を小さくさせるための操作部として用いられる。好ましくは、第１操作部４６および第２操作部４８と、操作対象とするコンポーネントとの組合せに関する情報、または、第１操作部４６および第２操作部４８と、操作対象とするコンポーネントの動作との組み合わせに関する情報は、記憶部に変更可能に記憶されている。記憶部は、例えば、第２回路基板８０に設けられる。
【００５５】
第４操作部６６は、人力駆動車１０に搭載されるコンポーネントを操作するために用いられる。第４操作部６６の操作対象のコンポーネントは、例えば、ドライブユニット３８、インタフェース装置４０、ランプ、変速機、ブレーキ装置、アジャスタブルシートポスト、および、サスペンション装置の少なくとも１つを含む。第４操作部６６の操作対象のコンポーネントがインタフェース装置４０の場合、第４操作部６６は、例えば、表示部４４に表示させる情報を変更するための操作部として用いられる。
【００５６】
第３操作部７０は、人力駆動車１０に搭載されるコンポーネントを操作するために用いられる。第３操作部７０の操作対象のコンポーネントは、例えば、ドライブユニット３８、インタフェース装置４０、ランプ、変速機、ブレーキ装置、アジャスタブルシートポスト、および、サスペンション装置の少なくとも１つを含む。第３操作部７０の操作対象のコンポーネントがランプの場合、第３操作部７０は、例えば、ランプの点灯と消灯とを切り替えるための操作部として用いられる。
【００５７】
＜第２実施形態＞
図９から図１１を参照して、第２実施形態のインタフェース装置４０について説明する。第２実施形態のインタフェース装置４０は、第１操作部４６の第１操作面８８の形状および第２操作部４８の第２操作面９０の形状が異なる点以外は、第１実施形態のインタフェース装置４０と同様であるので、第１実施形態と共通する構成については、第１実施形態と同一の符号を付し、重複する説明を省略する。
【００５８】
第１操作部４６は、ベース部４２に設けられ、第１操作面８８を有する。第２操作部４８は、ベース部４２に設けられ、第２操作面９０を有する。
【００５９】
第１操作面８８および第２操作面９０のそれぞれは、予め定める第１方向Ｄ１から見て、予め定める第２方向Ｄ２において、表示部４４に隣接する。第１操作面８８と第２操作面９０とは、予め定める第１方向Ｄ１から見て、予め定める第２方向Ｄ２に垂直な予め定める第３方向Ｄ３に並んで配置される。本実施形態では、インタフェース装置４０は、ベース部４２に設けられる第４操作部６６をさらに備える。第４操作部６６は、第４操作面６８を有する。第４操作部６６は、予め定める第２方向Ｄ２において、表示部４４に隣接する。第１操作面８８、第２操作面９０、および、第４操作面６８は、予め定める第３方向Ｄ３に並んで配置される。第４操作面６８は、予め定める第３方向Ｄ３において、第１操作面８８と第２操作面９０との間に配置される。本実施形態では、予め定める第１方向Ｄ１から、かつ、表示面５０が３つの操作部４６，４８，６６の右方になるように見た場合、３つの操作部４６，４８，６６のうちの最も上方の操作部４６，４８，６６が第１操作部４６であり、最も下方の操作部４６，４８，６６が第２操作部４８であり、第１操作部４６と第２操作部４８との間に配置される操作部４６，４８，６６が第４操作部６６である。
【００６０】
好ましくは、第１操作部４６は、ベース部４２に移動可能に設けられ、第２操作部４８は、第１操作部４６から独立して操作可能に、ベース部４２に移動可能に設けられる。好ましくは、第１操作部４６の移動方向Ｍ１２と、第２操作部４８の移動方向Ｍ２２とは傾斜する。第１操作部４６の移動方向Ｍ１２と、第２操作部４８の移動方向Ｍ２２とは平行してもよい。例えば、第１操作部４６は、ベース部４２に設けられ、ベース部４２に対して移動方向Ｍ１２に移動可能に構成されるボタンである。第２操作部４８は、ベース部４２のうちの第１操作部４６が設けられる領域とは異なる領域に設けられ、ベース部４２に対して移動方向Ｍ２２に移動可能に構成されるボタンである。第１操作部４６がボタンの場合、第１操作面８８は、第１操作部４６のうちの移動方向Ｍ１２の一方の端部に形成される。第２操作部４８がボタンの場合、第２操作面９０は、第２操作部４８のうちの移動方向Ｍ２２の一方の端部に形成される。第１操作面８８は、平面であってもよく、曲面であってもよい。第２操作面９０は、平面であってもよく、曲面であってもよい。本実施形態では、第１操作面８８および第２操作面９０は、曲面である。好ましくは、第１操作面８８の形状と第２操作面９０の形状とは、予め定める第２方向Ｄ２に平行な予め定める平面５３に関して、対称である。本実施形態では、第１操作面８８および第２操作面９０は、予め定める第２方向Ｄ２に平行な予め定める平面５３に近い部分の幅が大きな台形を有する。本実施形態では、第１操作面８８は、予め定める第２方向Ｄ２から見て、予め定める第３方向Ｄ３の両端部を結ぶ直線に対して、予め定める第３方向Ｄ３の中央が凹む湾曲形状を有する。本実施形態では、第２操作面９０は、予め定める第２方向Ｄ２から見て、予め定める第３方向Ｄ３の両端部を結ぶ直線に対して、予め定める第３方向Ｄ３の中央が凹む湾曲形状を有する。第１操作面５２および第２操作面５４の形状は、特に限定されず、例えば三角形状であってもよく、円形状であってもよく、四角形状であってもよく、湾曲していなくてもよい。
【００６１】
本実施形態では、予め定める第２方向Ｄ２から見て、第１操作面８８は、第１操作部４６から第２操作部４８に向かう方向において、第１配置面６４に近づくように第１配置面６４に対して傾斜するようにベース部４２に設けられる。本実施形態では、予め定める第２方向Ｄ２から見て、第２操作面９０は、第２操作部４８から第１操作部４６に向かう方向において、第１配置面６４に近づくように第１配置面６４に対して傾斜するようにベース部４２に設けられる。
【００６２】
好ましくは、第１操作部４６の移動方向Ｍ１２と、第２操作部４８の移動方向Ｍ２２とは、予め定める第２方向Ｄ２から見て、予め定める第１方向Ｄ１に対して傾斜する。本実施形態では、第１操作部４６の移動方向Ｍ１２と、第２操作部４８の移動方向Ｍ２２とは異なる。本実施形態では、第１操作部４６の移動方向Ｍ１２と、第２操作部４８の移動方向Ｍ２２とは、予め定める第２方向Ｄ２から見て、予め定める第４方向Ｄ４と平行な直線Ｋ４に対して傾斜する。本実施形態では、予め定める第２方向Ｄ２から見て、第１操作部４６の移動方向Ｍ１２と、第２操作部４８の移動方向Ｍ２２とは、傾斜する。本実施形態では、予め定める第２方向Ｄ２から見て、第１操作部４６の移動方向Ｍ１２および第２操作部４８の移動方向Ｍ２２と、第４操作部６６の移動方向Ｍ４１とは、傾斜する。予め定める第２方向Ｄ２から見て、第１操作部４６の移動方向Ｍ１２および第２操作部４８の移動方向Ｍ２２と、第４操作部６６の移動方向Ｍ４１とは、平行していてもよい。
【００６３】
好ましくは、予め定める第１方向Ｄ１のうち、第２端部５８から第１端部５６に向かう方向Ｄ１１において、第１操作面８８の最も下流側の第１操作端部８８Ａの位置は、第２操作面９０の最も下流側の第２操作端部９０Ａの位置と異なる。好ましくは、予め定める第１方向Ｄ１のうち、第２端部５８から第１端部５６に向かう方向Ｄ１１において、第４操作面６８の最も下流側の第５操作端部６８Ａと、第１操作端部８８Ａとは、異なる位置に配置される。好ましくは、予め定める第１方向Ｄ１のうち、第２端部５８から第１端部５６に向かう方向Ｄ１１において、第５操作端部６８Ａと、第２操作端部９０Ａとは、異なる位置に配置される。
【００６４】
第１操作面８８は、第３操作端部８８Ｂをさらに有し、第１操作端部８８Ａは、第３操作端部８８Ｂよりも第２操作面９０から遠い位置に配置される。第２操作面９０は、第４操作端部９０Ｂをさらに有し、第２操作端部９０Ａは、第４操作端部９０Ｂよりも第１操作面８８から遠い位置に配置され、予め定める第１方向Ｄ１のうち、第１端部５６から第２端部５８に向かう方向Ｄ１２において、第３操作端部８８Ｂは、第１操作端部８８Ａよりも下流側に位置する。好ましくは、予め定める第１方向Ｄ１のうち、第１端部５６から第２端部５８に向かう方向Ｄ１２において、第４操作端部９０Ｂは、第２操作端部９０Ａよりも下流側に位置する。好ましくは、第１操作端部８８Ａ、第３操作端部８８Ｂ、第４操作端部９０Ｂ、および、第２操作端部９０Ａは、予め定める第１方向Ｄ１のうち、第１端部５６から第２端部５８に向かう方向Ｄ１２において、第１操作端部８８Ａ、第２操作端部９０Ａ、第３操作端部８８Ｂ、および、第４操作端部９０Ｂの順に並ぶ。
【００６５】
第４操作面６８は、第６操作端部６８Ｂをさらに有する。第６操作端部６８Ｂは、第５操作端部６８Ａよりも第１操作面８８から遠い位置に配置される。予め定める第１方向Ｄ１のうち、第１端部５６から第２端部５８に向かう方向Ｄ１２において、第６操作端部６８Ｂは、第５操作端部６８Ａよりも下流側に位置する。例えば、第１操作端部８８Ａ、第３操作端部８８Ｂ、第２操作端部９０Ａ、第４操作端部９０Ｂ、第５操作端部６８Ａ、および、第６操作端部６８Ｂは、予め定める第１方向Ｄ１において全て異なる位置に配置される。例えば、第１操作端部８８Ａ、第３操作端部８８Ｂ、第２操作端部９０Ａ、第４操作端部９０Ｂ、第５操作端部６８Ａ、第６操作端部６８Ｂは、予め定める第１方向Ｄ１のうち、第１端部５６から第２端部５８に向かう方向Ｄ１２において、第１操作端部８８Ａ、第５操作端部６８Ａ、第６操作端部６８Ｂ、第２操作端部９０Ａ、第３操作端部８８Ｂ、および、第４操作端部９０Ｂの順に並ぶ。
【００６６】
好ましくは、予め定める第２方向Ｄ２から見て、第１配置面６４に配置される第１操作面８８の第１操作端部８８Ａ、第１操作面８８の第３操作端部８８Ｂ、第２操作面９０の第２操作端部９０Ａ、および、第２操作面９０の第４操作端部９０Ｂのうちの３つ以上は、予め定める第１方向Ｄ１において異なる位置に配置される。予め定める第２方向Ｄ２から見て、第１配置面６４において予め定める第３方向Ｄ３に並ぶ全ての操作面のうちの予め定める方向Ｄ１１の最も下流側の端部および最も上流側の端部の全てが、予め定める第１方向Ｄ１において全て異なる位置に配置されてもよい。
【００６７】
好ましくは、予め定める第２方向Ｄ２から見て、第１操作端部８８Ａと第２操作端部９０Ａとを結ぶ直線Ｋ６は、予め定める第３方向Ｄ３に平行な直線Ｋ３に対して、傾斜する。予め定める第２方向Ｄ２から見て、第１操作端部８８Ａと第２操作端部９０Ａとを結ぶ直線Ｋ６は、予め定める第４方向Ｄ４に平行な直線Ｋ４に対して、平行する。好ましくは、予め定める第２方向Ｄ２から見て、第１操作端部８８Ａと第４操作端部９０Ｂとを結ぶ直線Ｋ７は、予め定める第３方向Ｄ３に平行な直線Ｋ３に対して、傾斜する。予め定める第２方向Ｄ２から見て、第１操作端部８８Ａと第４操作端部９０Ｂとを結ぶ直線Ｋ７は、予め定める第４方向Ｄ４に平行な直線Ｋ４に傾斜する。本実施形態では、予め定める第２方向Ｄ２から見て、直線Ｋ６および直線Ｋ７は、直線Ｋ３に対して、５度以上８０度以下の範囲において傾斜する。好ましくは、予め定める第２方向Ｄ２から見て、直線Ｋ６および直線Ｋ７は、直線Ｋ３に対して、５度以上３０度以下の範囲において傾斜する。さらに好ましくは、予め定める第２方向Ｄ２から見て、直線Ｋ６は、直線Ｋ３に対して、５度以上１５度以下の範囲において傾斜する。さらに好ましくは、予め定める第２方向Ｄ２から見て、直線Ｋ６は、直線Ｋ７に対して、５度以上３０度以下の範囲において傾斜する。
【００６８】
好ましくは、第１操作部４６に操作をしない状態における第１配置面６４から第１操作面８８の第１操作端部５２Ａまでの第１距離Ｌ１２と、第２操作部４８に操作をしない状態における第１配置面６４から第２操作面９０の第２操作端部５４Ａまでの第２距離Ｌ２２と、は、異なる。好ましくは、第１操作部４６に操作をしない状態における第１配置面６４から第１操作面８８の第１操作端部５２Ａまでの第１距離Ｌ１２は、第２操作部４８に操作をしない状態における第１配置面６４から第２操作面９０の第２操作端部５４Ａまでの第２距離Ｌ２２よりも大きい。好ましくは、第４操作部６６に操作をしない状態における第１配置面６４から第４操作面６８の第５操作端部６８Ａまでの第４距離Ｌ４１は、第１距離Ｌ１２よりも小さく、かつ、第２距離Ｌ２２よりも大きい。好ましくは、第１操作部４６に操作をしない状態における第１配置面６４からの第１操作部４６の突出量と、第２操作部４８に操作をしない状態における第１配置面６４から第２操作部４８の突出量と、は、等しい。好ましくは、第１操作部４６の移動方向Ｍ１２における最大移動量と、第２操作部４８の移動方向Ｍ２２における最大移動量と、は、等しい。
【００６９】
好ましくは、予め定める第２方向Ｄ２から見て、予め定める第１方向Ｄ１のうち、第２端部５８から第１端部５６に向かう方向Ｄ１１において、第１操作端部８８Ａは、表示面５０よりも下流側に位置する。予め定める第２方向Ｄ２から見て、予め定める第１方向Ｄ１のうち、第２端部５８から第１端部５６に向かう方向Ｄ１１において、第２操作端部９０Ａ、第３操作端部８８Ｂ、第４操作端部９０Ｂ、第５操作端部６８Ａ、および、第６操作端部６８Ｂは、表示面５０よりも上流側に位置してもよく、下流側に位置してもよい。
【００７０】
好ましくは、インタフェース装置４０は、第１回路基板７８と、第２回路基板８０と、をさらに備える。第１回路基板７８は、ベース部４２に設けられ、第１操作面８８が操作されると信号を生成するように構成される第１電子部品８２、および、第２操作面９０が操作されると信号を生成するように構成される第２電子部品８４が実装される。
【００７１】
本実施形態のインタフェース装置４０によれば、インタフェース装置４０を左側のハンドルバー３４に取り付けた場合、第１配置面６４に配置される操作面８８，９０，６８のうちの人力駆動車１０の最も上方に配置される第１操作端部８８Ａ、および、人力駆動車１０の最も下方に配置される第４操作端部９０Ｂの、第１配置面６４からの突出量が他の部分よりも大きい。このため、第１操作端部８８Ａと第４操作端部９０Ｂとの間の空間に指を配置して第１操作部４６と第２操作部４８とを好適に操作できる。
【００７２】
＜変形例＞
実施形態に関する説明は、本発明に従う人力駆動車用のインタフェース装置が取り得る形態の例示であり、その形態を制限することを意図していない。本発明に従う人力駆動車用のインタフェース装置は、例えば以下に示される実施形態の変形例、および、相互に矛盾しない少なくとも２つの変形例が組み合わせられた形態を取り得る。以下の変形例において、実施形態の形態と共通する部分については、実施形態と同一の符号を付してその説明を省略する。
【００７３】
・第１実施形態および第２実施形態では、予め定める第１方向Ｄ１から、かつ、表示面５０が３つの操作部４６，４８，６６の右方になるように見た場合、３つの操作部４６，４８，６６のうちの最も上方の操作部が第１操作部であり、最も下方の操作部が第２操作部であるが、３つの操作部４６，４８，６６のうちのいずれかの操作部を第１操作部と対応させ、操作部４６，４８，６６のうちの第１操作部と対応させないいずれかの操作部を第２操作部と対応させてもよい。インタフェース装置４０は、予め定める第１方向Ｄ１から見て、予め定める第２方向Ｄ２において、表示部４４に隣接し、かつ、第３方向Ｄ３に並んで配置される操作面を有する４つ以上の操作部を備えていてもよい。インタフェース装置４０が予め定める第１方向Ｄ１から見て、予め定める第２方向Ｄ２において、表示部４４に隣接し、かつ、第３方向Ｄ３に並んで配置される操作面を有する３つ以上の操作部を備える場合、３つ以上の操作部のうちの少なくとも１つの操作部が第１操作部と対応し、他の１つが第２操作部と対応する。この場合も、予め定める第１方向Ｄ１のうち、第２端部５８から第１端部５６に向かう方向Ｄ１１において、第１操作面の最も下流側の第１操作端部の位置を第２操作面の最も下流側の第２操作端部の位置と異なせることによって、ユーザビリティに貢献できる。
【００７４】
・第１実施形態、または、第１実施形態の変形例において、予め定める第２方向Ｄ２から見て、第３操作端部５２Ｂ、第４操作端部５４Ｂ、第５操作端部６８Ａ、および、第６操作端部６８Ｂの少なくとも１つは、予め定める第１方向Ｄ１における第１操作端部５２Ａ、第２操作端部５４Ａ、第３操作端部５２Ｂ、第４操作端部５４Ｂ、第５操作端部６８Ａ、および、第６操作端部６８Ｂのうちの自身以外と同じ位置に位置してもよい。
【００７５】
・第２実施形態、または、第２実施形態の変形例において、予め定める第２方向Ｄ２から見て、第３操作端部８８Ｂ、第４操作端部９０Ｂ、第５操作端部６８Ａ、および、第６操作端部６８Ｂの少なくとも１つは、予め定める第１方向Ｄ１における第１操作端部８８Ａ、第２操作端部９０Ａ、第３操作端部８８Ｂ、第４操作端部９０Ｂ、第５操作端部６８Ａ、および、第６操作端部６８Ｂのうちの自身以外と同じ位置に位置してもよい。
【００７６】
・第１実施形態、第２実施形態、第１実施形態の変形例、または、第２実施形態の変形例を含む実施形態において、第１操作面５２，８８の形状と第２操作面５４，９０の形状とは、異なっていてもよい。
【００７７】
・第１実施形態、第２実施形態、第１実施形態の変形例、または、第２実施形態の変形例を含む実施形態において、第１回路基板７８および第２回路基板８０は、予め定める第２方向Ｄ２から見て、予め定める第３方向Ｄ３に平行な直線Ｋ３に対して、平行するようにベース部４２の空間４２Ｓに配置されてもよい。
【００７８】
・第１実施形態、第２実施形態、第１実施形態の変形例、または、第２実施形態の変形例を含む実施形態において、第１回路基板７８と第２回路基板８０とは、別体に形成されてもよい。第１回路基板７８と第２回路基板８０とが別体に形成される場合、予め定める第２方向Ｄ２から見て、第１回路基板７８は、第２回路基板８０に対して傾斜するようにベース部４２の空間４２Ｓに配置されてもよい。第１回路基板７８と第２回路基板８０とが別体に形成される場合、予め定める第２方向Ｄ２から見て、第２回路基板８０は、予め定める第２方向Ｄ２から見て、予め定める第３方向Ｄ３に平行な直線Ｋ３に対して、平行するようにベース部４２の空間４２Ｓに配置されてもよい。
【００７９】
・第１実施形態、または、第１実施形態の変形例を含む実施形態において、第１操作部４６に操作をしない状態における第１配置面６４から第１操作面５２の第１操作端部５２Ａまでの第１距離Ｌ１１と、第２操作部４８に操作をしない状態における第１配置面６４から第２操作面５４の第２操作端部５４Ａまでの第２距離Ｌ２１とを異ならせてもよい。例えば、図１２に示すように、第１操作部４６に操作をしない状態における第１配置面６４からの第１操作部４６の突出量と、第２操作部４８に操作をしない状態における第１配置面６４から第２操作部４８の突出量と、を異ならせる。
【００８０】
・第１実施形態、第２実施形態、第１実施形態の変形例、または、第２実施形態の変形例を含む実施形態において、第１配置面６４は、予め定める第２方向Ｄ２から見た場合、予め定める第１方向Ｄ１において、少なくとも一部が表示面５０よりもベース部４２の第１端部５６側に配置されてもよい。図１３に示すように、第１配置面６４は、予め定める第２方向Ｄ２から見た場合、予め定める第１方向Ｄ１において、実質的に全体が表示面５０よりもベース部４２の第１端部５６側に配置されてもよい。
【００８１】
・第１実施形態、第２実施形態、第１実施形態の変形例、または、第２実施形態の変形例を含む実施形態において、第１操作部４６は、予め定める回転軸心まわりに回転可能なボタンであってもよく、タッチパネルであってもよい。第１操作部４６が予め定める回転軸心まわりに回転可能なボタンである場合、予め定める回転軸心は、例えば予め定める第２方向Ｄ２または予め定める第４方向Ｄ４に平行である。第１操作部４６は、タッチパネルである場合、第１電子部品８２を省略してもよい。要するに、第１操作面５２，８８を有する第１操作部４６であれば、どのような構成であってもよい。
【００８２】
・第１実施形態、第２実施形態、第１実施形態の変形例、または、第２実施形態の変形例を含む実施形態において、第２操作部４８は、予め定める回転軸心まわりに回転可能なボタンであってもよく、タッチパネルであってもよい。第２操作部４８が予め定める回転軸心まわりに回転可能なボタンである場合、予め定める回転軸心は、例えば予め定める第２方向Ｄ２または予め定める第４方向Ｄ４に平行である。第２操作部４８は、タッチパネルである場合、第２電子部品８４を省略してもよい。要するに、第２操作面５４，９０を有する第２操作部４８であれば、どのような構成であってもよい。
【００８３】
・第１実施形態、第２実施形態、第１実施形態の変形例、または、第２実施形態の変形例を含む実施形態において、第４操作部６６は、予め定める回転軸心まわりに回転可能なボタンであってもよく、タッチパネルであってもよい。第４操作部６６が予め定める回転軸心まわりに回転可能なボタンである場合、予め定める回転軸心は、例えば予め定める第２方向Ｄ２または予め定める第４方向Ｄ４に平行である。第４操作部６６は、タッチパネルである場合、第４電子部品８５を省略してもよい。要するに、第４操作面６８を有する第４操作部６６であれば、どのような構成であってもよい。
【００８４】
・第１実施形態、第２実施形態、第１実施形態の変形例、または、第２実施形態の変形例を含む実施形態において、第３操作部７０および第４操作部６６の少なくとも１つは省略されてもよい。
【００８５】
本明細書において使用される「少なくとも１つ」という表現は、所望の選択肢の「１つ以上」を意味する。一例として、本明細書において使用される「少なくとも１つ」という表現は、選択肢の数が２つであれば「１つの選択肢のみ」または「２つの選択肢の双方」を意味する。他の例として、本明細書において使用される「少なくとも１つ」という表現は、選択肢の数が３つ以上であれば「１つの選択肢のみ」または「２つ以上の任意の選択肢の組み合わせ」を意味する。
【符号の説明】
【００８６】
１０…人力駆動車、１６…車体、３４…ハンドルバー、４０…インタフェース装置、４２…ベース部、６４…第１配置面、７４…第２配置面、５６…第１端部、５８…第２端部、６０…第１部分、６２…第２部分、４４…表示部、５０…表示面、４６…第１操作部、５２，８８…第１操作面、５２Ａ，８８Ａ…第１操作端部、５２Ｂ，８８Ｂ…第３操作端部、４８…第２操作部、５４，９０…第２操作面、５４Ａ，９０Ａ…第２操作端部、５４Ｂ，９０Ｂ…第４操作端部、７０…第３操作部、７２…第３操作面、７６…取付部、７８…第１回路基板、８０…第２回路基板、８２…第１電子部品、８４…第２電子部品、８６…第３電子部品。
【図１】
2020185949.tif 000003
【図２】
2020185949.tif 000004
【図３】
2020185949.tif 000005
【図４】
2020185949.tif 000006
【図５】
2020185949.tif 000007
【図６】
2020185949.tif 000008
【図７】
2020185949.tif 000009
【図８】
2020185949.tif 000010
【図９】
2020185949.tif 000011
【図１０】
2020185949.tif 000012
【図１１】
2020185949.tif 000013
【図１２】
2020185949.tif 000014
【図１３】
2020185949.tif 000015